(57)【特許請求の範囲】
【請求項１】
軒樋と、２つの前記軒樋を接続する落し口に接続した竪樋とを備えてなる雨樋システムであって、
前記軒樋内に流入した雨水の排水能力を向上させるための高排水機構を備えており、
前記高排水機構は、前記軒樋内の雨水を内部に取り入れる吸水口を有し、前記軒樋の底面上に前記軒樋の延在方向に沿って配設される吸水管と、
一端を前記吸水管に接続し、前記軒樋の落し口を通じて前記竪樋内に配設され、前記吸水管の内部から取り入れた雨水が流れる管内流路の一部の流路面積を小にしてなる負圧誘発部を有する負圧誘発管と、を備えて構成され、
前記吸水管の吸水口は、前記負圧誘発管と接続される端部の反対側の端部に形成された開口部と、前記負圧誘発管と接続される端部の反対側の端部であって前記吸水管の側面に形成されたスリット又は複数の吸水孔と、からなり、
前記負圧誘発管の外径が前記竪樋の内径よりも小さく、前記負圧誘発管の外面と前記竪樋の内面との間に隙間が形成されていることを特徴とする雨樋システム。
【請求項２】
軒樋と、前記軒樋の落し口に接続した竪樋とを備えてなる雨樋システムであって、
前記軒樋内に流入した雨水の排水能力を向上させるための高排水機構を備えており、
前記高排水機構は、前記軒樋内の雨水を内部に取り入れる吸水口を有し、前記軒樋の延在方向かつ前記軒樋の底部に沿って配設される吸水管と、
前記落し口とは別に前記軒樋の底部に形成された挿通孔を介して一端を前記吸水管に接続し、他端を前記竪樋に接続して配設され、前記吸水管の内部から取り入れた雨水が流れる管内流路の一部の流路面積を小にしてなる負圧誘発部を有する負圧誘発管と、を備えて構成されていることを特徴とする雨樋システム。
【請求項３】
軒樋と、前記軒樋の落し口に接続した竪樋とを備えてなる雨樋システムであって、
前記軒樋内に流入した雨水の排水能力を向上させるための高排水機構を備えており、
前記高排水機構は、前記軒樋内の雨水を内部に取り入れる吸水口を有し、前記軒樋の延在方向に沿って配設される吸水管と、
一端を前記吸水管に接続し、前記軒樋の落し口を通じて前記竪樋内に前記竪樋と略同等の長さで配設され、前記吸水管の内部から取り入れた雨水が流れる負圧誘発管と、を備えて構成され、
前記負圧誘発管の外径が前記竪樋の内径よりも小さく、前記負圧誘発管の外面と前記竪樋の内面との間に隙間が形成されていることを特徴とする雨樋システム。
【請求項４】
軒樋と、前記軒樋の落し口に接続した竪樋と、前記竪樋の下端部側に設けられた排水管カバーと、を備えてなる雨樋システムであって、
前記軒樋内に流入した雨水の排水能力を向上させるための高排水機構を備えており、
前記高排水機構は、前記軒樋内の雨水を内部に取り入れる吸水口を有し、前記軒樋の延在方向に沿って配設される吸水管と、
一端を前記吸水管に接続し、前記軒樋の落し口を通じて前記竪樋内でかつ他端が前記排水管カバー内となるよう配設され、前記吸水管の内部から取り入れた雨水が流れる管内流路の一部の流路面積を小にしてなる負圧誘発部を有する負圧誘発管と、を備えて構成され、
前記負圧誘発管の外径が前記竪樋の内径よりも小さく、前記負圧誘発管の外面と前記竪樋の内面との間に隙間が形成されていることを特徴とする雨樋システム。
【発明の詳細な説明】
【技術分野】
【０００１】
本発明は、雨水を排水管に排水するための雨樋システムに関する。
【背景技術】
【０００２】
従来、住宅などには、屋根から流れ落ちる雨水を受ける軒樋と、集水器や呼び樋を介して軒樋に接続され、軒樋に集められた雨水を排水管に導くための竪樋とを備えた雨樋システムが設置されている。また、竪樋は、熱膨縮などによる変位・変形を吸収するために、その下端部側を排水管に取り付けた筒状の排水管カバーに摺動可能に接続して設けられている。
【０００３】
一方、この種の雨樋システムには、住宅などの外観を損なうことなく単位時間当たりの排水量を増加させて、大雨時でも好適に雨水を排水管に排出できるようにすることが求められている。
【０００４】
これに対し、例えば特許文献１、特許文献２には、集水器を含む軒樋の底部を二重構造にし、この軒樋の底部にサイホン管路を全長にわたって設け、さらに軒樋の内部からサイホン管路に通じる吸水口を設けてなる雨樋システムが開示されている。また、竪樋は、その上端を軒樋のサイホン管路に接続して設置されている。
【０００５】
そして、この雨樋システムにおいては、大雨時に、軒樋底部のサイホン管路と縦サイホン管路が雨水で満たされると、縦サイホン管路内に負圧が生じ、サイホン作用によって軒樋内の雨水が吸水口から吸い込まれ、自然落下よりも高速でサイホン管路から縦サイホン管路に引っ張られて流れ落ちる。これにより、住宅などの外観を損なうことなく単位時間当たりの排水を増加させ、大雨時に多量の雨水を効率よく排水することが可能になる。
【先行技術文献】
【特許文献】
【０００６】
【特許文献１】特開２００４−２５１０７５号公報
【特許文献２】特開２００８−１５０９４８号公報
【発明の概要】
【発明が解決しようとする課題】
【０００７】
一方、上記従来のサイホン式雨樋システムにおいては、軒樋の底面との間に間隔をあけて底板を形成することで軒樋の底部を二重構造にし、サイホン管路を形成しているため、軒樋に流れ込んだ雨水をサイホン管路に取り入れるための吸水口を底板に穿設することになる。このため、降雨時には常に、軒樋に流れ込んだ雨水が軒樋の底板上を流通し、この底板の上面に開口して穿設された吸水口からサイホン管路内に軒樋内の雨水が吸い込まれ、サイホン管路から縦サイホン管路に流通して排水されることになる。
【０００８】
このことから、軒樋内に異物が入り込んだ場合には、底板の上面に開口する吸水口に異物が詰まりやすく、吸水口の目詰まりによって軒樋に流れ込んだ雨水がサイホン管路に排水されなくなり、軒樋から溢れ出すおそれがあった。
【０００９】
また、上記従来のように、軒樋のサイホン管路内の雨水、さらに吸水口を通じて軒樋内の雨水を縦サイホン管路で生じた負圧で引っ張って排水する構成では、負圧の影響範囲に限りが生じ、軒樋の落し口を基点として軒樋の延在方向の例えば３ｍ程度の範囲でしか吸引力が働かないという現実がある。このため、軒樋の落し口を基点として３ｍ以上離れた箇所では、軒樋内の水位が低下しにくく、大雨時にこの箇所で雨水が溢れ出すおそれがあった。
【００１０】
さらに、二重構造の底部を備える軒樋を押出成形や射出成形で製造する際には、金型が複雑化し、また、押出成形や射出成形後に、サイホン管路を形成する底板に吸水口を穿設することになる。このように複雑な金型を必要とし、取り回しにくい成形後の軒樋に対して吸水口を穿孔する作業が必要になることで、製造歩掛りが低下し、軒樋が高コスト化するという問題もあった。
【００１１】
なお、軒樋の底部を二重構造にするための底板を別途形成し、成形後の軒樋の内部に挿入設置することも考えられるが、この場合においても、底板を軒樋の内面の所定位置に固定するなどの狭所での接続作業が必要になり、やはり製造歩掛りの低下、軒樋の高コスト化を招くことになる。
【課題を解決するための手段】
【００１２】
上記の課題を解決するために、この発明は以下の手段を提供している。
【００１３】
請求項１記載の雨樋システムは、軒樋と、２つの前記軒樋を接続する落し口に接続した竪樋とを備えてなる雨樋システムであって、前記軒樋内に流入した雨水の排水能力を向上させるための高排水機構を備えており、前記高排水機構は、前記軒樋内の雨水を内部に取り入れる吸水口を有し、前記軒樋の底面上に前記軒樋の延在方向に沿って配設される吸水管と、一端を前記吸水管に接続し、前記軒樋の落し口を通じて前記竪樋内に配設され、前記吸水管の内部から取り入れた雨水が流れる管内流路の一部の流路面積を小にしてなる負圧誘発部を有する負圧誘発管と、を備えて構成され、前記吸水管の吸水口は、前記負圧誘発管と接続される端部の反対側の端部に形成された開口部と、前記負圧誘発管と接続される端部の反対側の端部であって前記吸水管の側面に形成されたスリット又は複数の吸水孔と、からなり、前記負圧誘発管の外径が前記竪樋の内径よりも小さく、前記負圧誘発管の外面と前記竪樋の内面との間に隙間が形成されていることを特徴とする。
【００１４】
請求項２記載の雨樋システムは、軒樋と、前記軒樋の落し口に接続した竪樋とを備えてなる雨樋システムであって、前記軒樋内に流入した雨水の排水能力を向上させるための高排水機構を備えており、前記高排水機構は、前記軒樋内の雨水を内部に取り入れる吸水口を有し、前記軒樋の延在方向かつ前記軒樋の底部に沿って配設される吸水管と、前記落し口とは別に前記軒樋の底部に形成された挿通孔を介して一端を前記吸水管に接続し、他端を前記竪樋に接続して配設され、前記吸水管の内部から取り入れた雨水が流れる管内流路の一部の流路面積を小にしてなる負圧誘発部を有する負圧誘発管と、を備えて構成されていることを特徴とする。
請求項３記載の雨樋システムは、軒樋と、前記軒樋の落し口に接続した竪樋とを備えてなる雨樋システムであって、前記軒樋内に流入した雨水の排水能力を向上させるための高排水機構を備えており、前記高排水機構は、前記軒樋内の雨水を内部に取り入れる吸水口を有し、前記軒樋の延在方向に沿って配設される吸水管と、一端を前記吸水管に接続し、前記軒樋の落し口を通じて前記竪樋内に前記竪樋と略同等の長さで配設され、前記吸水管の内部から取り入れた雨水が流れる負圧誘発管と、を備えて構成され、前記負圧誘発管はその外径が前記竪樋の内径よりも小さく、前記負圧誘発管の外面と前記竪樋の内面との間に隙間が形成されていることを特徴とする。
請求項４記載の雨樋システムは、軒樋と、前記軒樋の落し口に接続した竪樋と、前記竪樋の下端部側に設けられた排水管カバーと、を備えてなる雨樋システムであって、前記軒樋内に流入した雨水の排水能力を向上させるための高排水機構を備えており、前記高排水機構は、前記軒樋内の雨水を内部に取り入れる吸水口を有し、前記軒樋の延在方向に沿って配設される吸水管と、一端を前記吸水管に接続し、前記軒樋の落し口を通じて前記竪樋内でかつ他端が前記排水管カバー内となるよう配設され、前記吸水管の内部から取り入れた雨水が流れる管内流路の一部の流路面積を小にしてなる負圧誘発部を有する負圧誘発管と、を備えて構成され、前記負圧誘発管の外径が前記竪樋の内径よりも小さく、前記負圧誘発管の外面と前記竪樋の内面との間に隙間が形成されていることを特徴とする。
【発明の効果】
【００１５】
本発明の雨樋システムにおいては、軒樋内に流入した雨水が吸水口から吸水管の内部に流入し、吸水管から負圧誘発管の内部（管内流路）、さらに竪樋内で流れて排水される。そして、大雨時に多量の雨水が吸水管から負圧誘発管に流れると、流路面積を小にしてなる負圧誘発部の抵抗で乱流が生じ、負圧誘発部よりも上方に雨水の滞留が発生し、吸水管と負圧誘発管が雨水で満たされる。このように吸水管と負圧誘発管が雨水で満たされ、負圧誘発部の抵抗力を上回る水圧が負圧誘発部に作用すると、滞留した雨水が急激に流下して負圧が発生する。これにより、軒樋内の雨水が負圧によって引っ張られて吸水口から急激に吸い込まれ、自然落下よりも高速で軒樋内の雨水を排水することが可能になる。
【００１６】
そして、このような高排水機構が吸水管と負圧誘発管の管体を用いて構成されているため、吸水管や負圧誘発管を軒樋や竪樋と別途形成して設置することができる。また、軒樋とは個別の吸水管に吸水口を形成することになり、容易に吸水口を形成することが可能になる。これにより、複雑な金型や取り回しにくい成形後の軒樋に対して吸水口を穿孔する作業が不要になり、従来の雨樋システムと比較し、製造歩掛りの低下、軒樋の高コスト化を抑止することが可能になる。
【００１７】
また、吸水管の長さや吸水口の数、位置を容易に設定することができる。このため、軒樋内に入り込んだ異物が目詰まりしにくい位置、数、形状で吸水口を形成することができ、従来のように吸水口に異物が詰まって軒樋から雨水が溢れ出すことを防止できる。
【００１８】
さらに、吸水管の長さや吸水口の数、位置を調節することで、負圧の影響範囲を自在に調節することが可能になる。これにより、軒樋の落し口を基点として軒樋の延在方向の３ｍ以上離れた箇所に吸引力を作用させ、軒樋内の雨水を負圧によって急激に排水することが可能になる。よって、大雨時に軒樋から雨水が溢れ出すことを確実に防止できる。
【００１９】
また、高排水機構が吸水管と負圧誘発管の管体を用いて構成されているため、既設の雨樋システムに対しても高排水機構を取り付けることができ、既存の雨樋システムの排水能力を容易に向上させることも可能になる。さらに、高排水機構によって雨樋システムの排水能力を向上させることができるため、例えば排水断面積の少ない軒樋に対して落し口の数を削減することができるという効果も得られる。
【図面の簡単な説明】
【００２０】
【図１】本発明の第１実施形態に係る雨樋システムを示す斜視図である。
【図２】本発明の第１実施形態に係る雨樋システムを示す正面図である。
【図３】図１のＸ１−Ｘ１線矢視図である。
【図４】本発明の第１実施形態に係る雨樋システムの吸水管の変形例を示す斜視図である。
【図５】本発明の第１実施形態に係る雨樋システムの吸水管の変形例を示す斜視図である。
【図６】本発明の第１実施形態に係る雨樋システムにおいて、軒樋内の水位が低く、吸水管に雨水が流入していない状態を示す図である。
【図７】本発明の第１実施形態に係る雨樋システムにおいて、軒樋内の水位が高くなり、負圧誘発管に雨水の滞留が生じた状態を示す図である。
【図８】本発明の第１実施形態に係る雨樋システムにおいて、軒樋内の雨水が高排水機構によって排水されている状態を示す図である。
【図９】本発明の第１実施形態に係る雨樋システムの変形例を示す図である。
【図１０】本発明の第１実施形態に係る雨樋システムの変形例を示す図である。
【図１１】本発明の第１実施形態に係る雨樋システムの変形例を示す図である。
【図１２】本発明の第２実施形態に係る雨樋システムを示す正面図である。
【発明を実施するための形態】
【００２１】
以下、図１から図８を参照し、本発明の第１実施形態に係る雨樋システムについて説明する。本実施形態は、住宅などに設置される雨樋システム（雨樋）に関するものである。
【００２２】
図１及び図２に示すように、本実施形態の雨樋システムＡは、屋根の軒先から流れ落ちる雨水を受ける軒樋１と、軒樋１に取り付けられて落し口２を形成する集水器３と、軒樋１の落し口２に上端を接続し、住宅などの外壁に沿って上下方向Ｔ１に配設された竪樋４と、地中に埋設された排水管に取り付けられて竪樋４の下端側を上下方向に摺動可能に支持する排水管カバー５とを備えて構成されている。また、本実施形態の雨樋システムＡは、大雨時に軒樋１内に流入した雨水の排水能力を向上させるための高排水機構６を備えて構成されている。
【００２３】
図２に示すように、本実施形態の高排水機構６は、軒樋１内の底部に、軒樋１の延在方向Ｔ２に沿って配設された吸水管７と、上端（一端）を吸水管７に接続し、落し口２を通じて竪樋４内に、且つ竪樋４の延在方向である上下方向Ｔ１に沿って配設された負圧誘発管８と、吸水管７と負圧誘発管８を接続する継手９とを備えて構成されている。
【００２４】
また、吸水管７と負圧誘発管８と継手９は、例えばポリカーボネート、ポリ塩化ビニル、ポリオレフィンなどの熱可塑性合成樹脂を用い、押出成形や射出成形によって形成されている。さらに、吸水管７と負圧誘発管８は、例えば外径を３５〜６０ｍｍ程度にして形成されている。
【００２５】
図１に示すように、本実施形態の吸水管７は、押出成形あるいは射出成形により形成され、両端が開口した筒状体であり、集水器３側に開口する開口部と反対側の開口部１０ａ側の端部に複数の吸水孔１０ｂを有している。
この吸水孔１０ｂは、図３に示すように吸水管７の径方向からも雨水を取り込めるように設けられた貫通孔である。この開口部１０ａと吸水孔１０ｂとは、吸水管７内に雨水を取り込む吸水口１０を構成している。
【００２６】
ここで、吸水口１０は、必ずしも開口部１０ａと吸水管７の開口部１０ａ側に穿設された吸水孔１０ｂとにより構成されたものに限定されるものではなく、吸水孔１０ｂの位置や形状は適宜設定されればよい。具体的には、吸水口１０の吸水孔１０ｂは、図４に示すように、吸水管７の延在方向Ｔ２に所定の間隔をあけて円形状に設けられたものでもよく、又は、図５に示すように、吸水孔１０ｂに代えて吸水管７の延在方向Ｔ２に所定寸法延びる一又は複数のスリット１０ｃとしたものであってもよい。このスリット１０ｃは、吸水管７の端部を径方向に開口させるものである。なお、図５に示すスリットを有する吸水口１０を備えて吸水管７を形成する場合には、押出成形や射出成形によって吸水管７の成形と同時にスリットを形成することができ、成形後に吸水孔１０ｂを穿孔する作業を不要にすることができる。
【００２７】
負圧誘発管８ａは、図１に示すように、例えば外径が６０〜１００ｍｍ程度の竪樋４内に挿入し、その外面と竪樋４の内面との間に隙間Ｈをあけて配設されている。また、本実施形態の負圧誘発管８は、軒樋１内の雨水を引っ張って自然落下よりも高速で排水させるための負圧を誘発する負圧誘発部８ａを備えた管とこの負圧誘発部８ａを備えていない管とを接続して竪樋４と略同等の長さで形成され、その下端（他端）を排水管カバー５内に配して設けられている。
【００２８】
負圧誘発部８ａは、吸水管７の内部から取り入れた雨水が流れる管内流路Ｒの一部の流路面積が負圧誘発管８の他の部分よりも小となるようにして形成されている。例えば、負圧誘発部８ａは、図１に示したように内径及び外径が他の部分よりも小さくなるように負圧誘発管８を絞って形成したり、負圧誘発管８の内面から内側に突出する突部を設けるなどして形成されている。また、この負圧誘発部８ａは、軒樋１の落し口２から例えば１ｍ以上、下方の位置に配されるように形成することが好ましい。
【００２９】
次に、上記構成からなる雨樋システムＡの作用及び効果について説明する。
【００３０】
本実施形態の雨樋システムＡでは、図１及び図６に示すように、負圧誘発管８がその外径を竪樋４の内径よりも小さくして形成されているため、負圧誘発管８の外面と落し口２の内面の間、さらに負圧誘発管８の外面と竪樋４の内面の間に隙間Ｈが形成されている。
このため、通常の降雨時には、屋根から軒樋１に流れ込んだ軒樋１内の雨水Ｗは、吸水管７の開口部１０ａから吸水管７内に流れ込んで管内流路Ｒを流れていくか、吸水管７の外側を流れて落し口２から負圧誘発管８の外面と竪樋４の内面の間の隙間Ｈを流路として竪樋４内を流下し、排水管に排出される。
【００３１】
一方、図１及び図７に示すように、大雨時には、通常時と同様に雨水Ｗは管内流路Ｒ及び隙間Ｈを流れていくが、負圧誘発管８には管内流路Ｒの一部の流路面積を小にしてなる負圧誘発部８ａが設けられているため、管内流路Ｒに流れ込んだ雨水Ｗは、一定流量以上負圧誘発管８の内部に流入することにより、負圧誘発部８ａが抵抗となって乱流となり、負圧誘発部８ａよりも上方の負圧誘発管８内で滞留し始める。そして更に負圧誘発管８内に雨水Ｗが流入すると、負圧誘発管８と吸水管７が雨水Ｗ（Ｗ’）で満たされ、軒樋１内の雨水Ｗの水位に応じた水圧（雨水Ｗ’の自重）が負圧誘発部８ａに作用する。
【００３２】
このように軒樋１内の雨水Ｗの水位に応じた水圧が負圧誘発部８ａに作用すると、図１及び図８に示すように、この水圧が負圧誘発部８ａの抵抗力を上回り、滞留した雨水Ｗ’が負圧誘発管８内を急激に流下するとともに、負圧誘発部８ａの下方が減圧状態になって負圧が発生する。これにより、吸水管７内の雨水Ｗ’が負圧誘発管８内に引っ張られ、軒樋１内の雨水Ｗが開口部１０ａ及び吸水孔１０ｂの双方から吸水管７内に吸い込まれて、軒樋１内の雨水Ｗが自然落下よりも高速で排水され、雨水Ｗが大量に流れている間、負圧誘発部８ａにおいて乱流と急激な流下を繰り返し、軒樋１内の雨水Ｗが、継続的に大きな流速、流量で排水されることとなる。
【００３３】
さらに、このとき、図１に示すように、軒樋１内に吸水管７を配設し、この吸水管７に吸水孔１０ｂを設けるようにしているため、吸水管７の長さや吸水孔１０ｂの数、位置を調節して吸水管７を形成することで、負圧の影響範囲、すなわち軒樋１内の雨水Ｗを吸い込む吸引力の作用範囲の設定が自在になる。このため、軒樋１の落し口２を基点として軒樋１の延在方向Ｔ２の距離Ｌが３ｍ以上離れた箇所の雨水Ｗであっても、吸水管７の長さや吸水孔１０ｂの数、位置を調節しておくだけで、確実に吸引力が作用し、急激に排水される。このように、従来の雨樋システムでは吸引力を作用させることが困難で水位が低下しにくい箇所の雨水Ｗが急激に排水されることで、大雨時に軒樋１から雨水Ｗが溢れ出すことが確実に防止される。
【００３４】
さらに、本実施形態の雨樋システムＡにおいては、軒樋１内の雨水Ｗが図３に示す吸水管７の外面と軒樋１の内面の間Ｍ、言い換えれば吸水管７と軒樋１の側壁１ａの間Ｍにも流され、落し口２から竪樋４に流入する。このため、従来の軒樋の底部を二重構造にした雨樋システムと比較し、軒樋１内に異物が入り込んだ場合であっても吸水孔１０ｂが詰まりにくくなる。
【００３５】
また、図１から図３に示すように、本実施形態では、高排水機構６が軒樋１や竪樋４と別体として具備され、吸水管７と負圧誘発管８の管体を用いて構成されている。そして、軒樋１とは個別の吸水管７に吸水孔１０ｂを形成することになるため、従来のように複雑な金型や取り回しにくい成形後の軒樋１に対して吸水孔１０ｂを穿孔する作業が不要になり、吸水孔１０ｂの穿孔作業が容易に行える。
【００３６】
したがって、本実施形態の雨樋システムＡにおいては、大雨時に吸水管７と負圧誘発管８が雨水Ｗ’（Ｗ）で満たされ、負圧誘発部８ａの抵抗力を上回る水圧が負圧誘発部８ａに作用するとともに、滞留した雨水Ｗ’が急激に流下して負圧が発生する。これにより、軒樋１内の雨水Ｗが負圧によって引っ張られて吸水口１０から急激に吸い込まれ、自然落下よりも高速で軒樋１内の雨水Ｗを排水することが可能になる。
【００３７】
また、高排水機構６が吸水管７と負圧誘発管８の管体を用いて構成されているため、吸水管７や負圧誘発管８を軒樋１や竪樋４と別途形成して設置することができ、さらに、軒樋１とは個別の吸水管７に吸水口１０を形成することになって容易に吸水孔１０ｂを形成することが可能になる。これにより、複雑な金型や取り回しにくい成形後の軒樋１に対して吸水孔１０ｂを穿孔する作業が不要になり、従来の雨樋システムと比較し、製造歩掛りの低下、軒樋１の高コスト化を抑止することが可能になる。
【００３８】
また、吸水管７の長さや吸水孔１０ｂの数、位置を容易に設定することができる。このため、軒樋１内に入り込んだ異物が目詰まりしにくい位置、数、形状で吸水孔１０ｂを形成することができ、従来のように吸水孔１０ｂに異物が詰まって軒樋１から雨水が溢れ出すことを防止できる。
【００３９】
さらに、吸水管７の長さや吸水孔１０ｂの数、位置を調節することで、負圧の影響範囲を自在に調節することが可能になる。これにより、軒樋１の落し口２を基点として軒樋１の延在方向Ｔ２の距離Ｌが３ｍ以上離れた箇所であっても吸引力を作用させることができ、軒樋１内の雨水Ｗを負圧によって急激に排水することが可能になる。よって、大雨時に軒樋１から雨水Ｗが溢れ出すことを確実に防止できる。
【００４０】
また、高排水機構６が吸水管７と負圧誘発管８の管体を用いて構成されているため、吸水口１０を形成した吸水管７を軒樋１内に設置するだけで、吸水管７を軒樋１の延在方向Ｔ２に沿って容易に配設することができる。また、負圧誘発管８を軒樋１の落し口２を通じて竪樋４内に挿入し、その上端を吸水管７に継手９を用いて接続するだけで、容易に負圧誘発管８を配設することができる。このため、既設の雨樋システムに対しても高排水機構６を容易に取り付けることができ、既存の雨樋システムの排水能力を容易に向上させることも可能になる。さらに、高排水機構６によって雨樋システムＡの排水能力を向上させることができるため、例えば排水断面積の少ない軒樋１に対して落し口２の数を削減することができるという効果も得られる。
【００４１】
また、大雨時には、高排水機構６で負圧を生じさせて急激に軒樋１内の雨水Ｗを排水することが可能になるとともに、落し口２から負圧誘発管８の外面と竪樋１の内面の間の流路Ｈを流通させて軒樋１内の雨水Ｗを排水することができる。これにより、さらに軒樋１内の雨水Ｗの排水能力を向上させることが可能になる。
【００４２】
以上、本発明に係る雨樋システムの第１実施形態について説明したが、本発明は上記の第１実施形態に限定されるものではなく、その趣旨を逸脱しない範囲で適宜変更可能である。例えば、本実施形態では、図１、図２などに、吸水管７と負圧誘発管８がエルボ（継手９）を用いて接続し、落し口２を基点に軒樋１の延在方向Ｔ２の一方向に吸水管７が配設されているものとして図示したが、例えば図９に示すように、チーズなどの継手９を用いて吸水管７と負圧誘発管８を接続し、落し口２を基点に軒樋１の延在方向Ｔ２の一方向と他方向に吸水管７を配設するようにしてもよい。
【００４３】
また、本実施形態では、軒樋１内に吸水管７を配設して高排水機構６が構成されているものとしたが、本発明に係る高排水機構の吸水管７は、軒樋１内の雨水Ｗを内部に取り入れる吸水口１０を備えて形成され、軒樋１の延在方向Ｔ２に沿って配設されていればよく、例えば図１０に示すように、軒樋１の底面１ｂにスリット１０ｃが所定寸法開口するように軒樋１に取り付けられた吸水管７を配設してもよい。この場合の吸水管７の負圧誘発管８と接続する端部と反対側の端部は、蓋等によって閉じられた構成とする。吸水管７をこのような構成とした場合には、吸水孔１０ｂ全体に異物が詰まり、軒樋１内の雨水Ｗが吸水管７に流入しなくなることを防止し易くなる。
【００４４】
さらに、本実施形態では、負圧誘発管８が排水カバー５内に下端を配して設けられているものとしたが、例えば図１１に示すように、下端が竪樋４の途中に配されるように負圧誘発管８を短く形成してもよい。そして、この場合においても、本実施形態と同様の作用効果を得ることが可能である。
【００４５】
次に、図１２を参照し、本発明の第２実施形態に係る雨樋システムについて説明する。
本実施形態は、第１実施形態と同様、住宅などに設置される雨樋システムに関するものであり、第１実施形態に対して高排水機構の構成のみが異なる。このため、本実施形態では、第１実施形態と同様の構成に対して同一符号を付し、その詳細な説明を省略する。
【００４６】
図１２に示すように、本実施形態の雨樋システムＢは、第１実施形態と同様、軒樋１と、竪樋４と、排水管カバー５と、大雨時に軒樋１内に流入した雨水Ｗの排水能力を向上させるための高排水機構１１とを備えて構成されている。
【００４７】
また、高排水機構１１は、軒樋１内の底部に、軒樋１の延在方向Ｔ２に沿って配設された吸水管７と、上端（一端）を吸水管７に接続し、軒樋１から吸水管７の内部に取り入れた雨水Ｗを竪樋４内で流通させるように配設された負圧誘発管１２と、吸水管７と負圧誘発管１２を接続する継手９とを備えて構成されている。
【００４８】
一方、本実施形態の高排水機構１１においては、落し口２とは別に軒樋１の底部に挿通孔１３が形成され、この挿通孔１３に継手９あるいは負圧誘発管１２の上端側を挿通し、吸水管７と負圧誘発管１２が接続されている。さらに、竪樋４の上端と下端の間には接合部材１４が設けられており、この接合部材１４に負圧誘発管１２の下端（他端）を接続することによって、負圧誘発管１２がその下端を竪樋４に接続して配設されている。また、図１２に示すように、負圧誘発管１２には、第１実施形態と同様、負圧誘発管１２の内部である管内流路Ｒの一部の流路面積を小にしてなる負圧誘発部１２ａが設けられている。
【００４９】
そして、このように構成した本実施形態の雨樋システムＢでは、図１２に示すように、通常の降雨時に、屋根から軒樋１に流れ込んだ軒樋１内の雨水Ｗは、吸水管７内の管内流路Ｒを通って、又は、落し口２から竪樋４に流入して排水管に排出される。
【００５０】
一方、大雨時、軒樋１に多量の雨水Ｗが流れ込んだ場合には、雨水Ｗは、通常時と同様に、雨水Ｗは管内流路Ｒ及び落し口２から竪樋４内を流れていくが、負圧誘発管１２に管内流路Ｒの一部の流路面積を小にしてなる負圧誘発部１２ａが設けられているため、第１実施形態と同様に、一定流量以上の雨水Ｗが負圧誘発管１２内に流入すると、負圧誘発部１２ａにおいて雨水Ｗが乱流して該負圧誘発部１２ａよりも上方の負圧誘発管１２内に雨水Ｗが滞留し始める。そして、負圧誘発管１２と吸水管７が雨水Ｗで満たされて、軒樋１内の雨水Ｗの水位に応じた水圧が負圧誘発部１２ａに作用すると、滞留した雨水Ｗ’が負圧誘発管１２内を急激に流下するとともに、負圧誘発部１２ａの下方が減圧状態になって負圧が発生する。
【００５１】
これにより、吸水管７内の雨水Ｗ’が負圧誘発管１２内に引っ張られ、軒樋１内の雨水Ｗが吸水孔１０ｂから吸水管７内に吸い込まれる。そして、軒樋１の落し口２から流れ込んで流下する竪樋４内の雨水Ｗと、負圧誘発管１２の竪樋４に接続した下端から排水される雨水Ｗ’が竪樋４内で合流して、軒樋１内の雨水Ｗが自然落下よりも高速で排水されてゆく。また、軒樋１内の雨水Ｗは、軒樋１内に大量の雨水Ｗが流れる間、負圧誘発部１２ａにおいて乱流と急激な流下を繰り返し、継続的に大きな流速、流量で排水される。
【００５２】
また、このとき、竪樋４内で、軒樋１の落し口２から竪樋４内を流下する雨水Ｗと、負圧誘発管１２から排水された雨水Ｗ’が合流して排水管に排水される。このため、負圧誘発管１２と竪樋４の合流部１５には、軒樋１の落し口から流下する雨水Ｗによって負圧が生じ、負圧誘発管１２を流通する雨水Ｗ’が竪樋４内に吸い込まれる。すなわち、負圧誘発管１２の下端を竪樋４に接続して配設することにより、雨樋システムＢの竪樋４と負圧誘発管１２がエジェクターのように構成される。
【００５３】
これにより、本実施形態の雨樋システムＢでは、大雨時に、落し口２から竪樋４に軒樋１内の雨水Ｗが排水され、また、負圧誘発管１２の負圧誘発部１２ａで負圧を生じさせて急激に軒樋１内の雨水Ｗが竪樋４内に排水され、さらに、軒樋１の落し口２から竪樋４内を流下する雨水Ｗによって負圧誘発管１２と竪樋４の合流部１５で負圧が生じ、さらに急激に軒樋１内の雨水Ｗが竪樋４内に排水される。
【００５４】
したがって、本実施形態の雨樋システムＢにおいては、大雨時に多量の雨水Ｗが吸水管７から負圧誘発管１２に流れると、負圧誘発部１２ａで乱流が生じて吸水管７と負圧誘発管１２が雨水Ｗで満たされ、吸水管７と負圧誘発管１２の内部で滞留した雨水Ｗ’が急激に流下して竪樋４内に排水され、自然落下よりも高速で軒樋１内の雨水Ｗを排水することが可能になる。
【００５５】
また、このとき、負圧誘発管１２の下端を竪樋４に接続して配設することにより、本実施形態の雨樋システムＢがエジェクターのように構成されている。このため、大雨時には、負圧誘発管１２の負圧誘発部１２ａで負圧を生じさせて急激に軒樋１内の雨水Ｗを排水することが可能になることに加え、軒樋１の落し口２から竪樋４内を流下する雨水Ｗによって負圧誘発管１２と竪樋４の合流部１５で負圧が生じ、さらに急激に軒樋１内の雨水Ｗを排水することが可能になる。よって、軒樋１内の雨水Ｗの排水能力のさらなる向上を図ることが可能になる。
【００５６】
なお、本実施形態の雨樋システムＢにおいても、高排水機構１１が吸水管７と負圧誘発管１２の管体を用いて構成されているため、この構成による第１実施形態と同様の作用効果を得ることが可能である。
【００５７】
以上、本発明に係る雨樋システムの第２実施形態について説明したが、本発明は上記の第２実施形態に限定されるものではなく、第１実施形態の変更例を含め、その趣旨を逸脱しない範囲で適宜変更可能である。
【符号の説明】
【００５８】
１      軒樋
１ａ    側壁
１ｂ    底面
２      落し口
３      集水器
４      竪樋
５      排水管カバー
６      高排水機構
７      吸水管
８      負圧誘発管
８ａ    負圧誘発部
９      継手
１０    吸水口
１１    高排水機構
１２    負圧誘発管
１２ａ  負圧誘発部
１３    挿通孔
１４    接合部材
１５    合流部
Ａ      雨樋システム
Ｂ      雨樋システム
Ｈ      負圧誘発管と竪樋の間の隙間（流路）
Ｌ      軒樋の延在方向の距離
Ｍ      吸水管と軒樋の側壁の間
Ｒ      管内流路
Ｔ１    上下方向
Ｔ２    延在方向
Ｗ      雨水
Ｗ’    雨水
【図１】
0006285986.tif 000002
【図２】
0006285986.tif 000003
【図３】
0006285986.tif 000004
【図４】
0006285986.tif 000005
【図５】
0006285986.tif 000006
【図６】
0006285986.tif 000007
【図７】
0006285986.tif 000008
【図８】
0006285986.tif 000009
【図９】
0006285986.tif 000010
【図１０】
0006285986.tif 000011
【図１１】
0006285986.tif 000012
【図１２】
0006285986.tif 000013